(57)【要約】【課題】ビニールハウスのシートを保護する用途に使用することができるとともにビニールハウスのシール用途、クッション用途にも使用することができる多目的なクッション装置を提供することである。【解決手段】本発明のクッション装置１は、弾性部材２と、弾性部材２内を通る線条３と、線条３の両端に設けられ開口部巾狭の蟻溝フレーム１０に固定される固定部材４とを備えて構成されているので、ビニールハウスＢの蟻溝フレーム１０が取付けられている様々な部位に取付けることができ、クッション機能やシール機能を果たすのは線条３が挿入される弾性部材２であるのでクッション装置１を適用する部位に併せて変形させることができるので汎用性に富み、ビニールハウスＢのシートＳの保護、ドアや換気窓のクッション、シール等の多目的に使用可能である。【選択図】図１
2007222093.tif 000002
【特許請求の範囲】
【請求項１】
弾性部材と、弾性部材内を通る線条と、線条の両端に設けられ開口部巾狭の蟻溝フレームに固定される固定部材とを備えたクッション装置。
【請求項２】
固定部材は、線条の端部に連なり蟻溝フレームの両側壁にバネ力を作用させる波型のバネ部材であることを特徴とする請求項１に記載のクッション装置。
【請求項３】
弾性部材は筒体であることを特徴とする請求項１または２に記載のクッション装置。
【請求項４】
弾性部材は、ビニールハウスのシートが定着される開口部巾狭の蟻溝フレーム内に挿入されると少なくとも一部が上記蟻溝フレームの開口部から外方に突出することを特徴とする請求項１から３のいずれかに記載のクッション装置。
【請求項５】
弾性部材は、ビニールハウスのシートが定着される開口部巾狭の蟻溝フレーム内に挿入されると蟻溝フレームの開口部を閉塞することを特徴とする請求項１から４のいずれかに記載のクッション装置。
【発明の詳細な説明】
【技術分野】
【０００１】
本発明は、植物を育成する温室たるビニールハウスに適するクッション装置に関する。
【背景技術】
【０００２】
一般に植物を育成するビニールハウスにあっては、たとえば、アーチ状の骨組みとなるパイプに透明または半透明な合成樹脂シートを屋根面、側面および妻面に展張するようにしている。
【０００３】
そして、上記シートのパイプへの固定に際しては、開口部巾狭の蟻溝フレームを用い、この蟻溝フレーム内にシートを挿入し、シートを波形のバネ部材で蟻溝フレームの側部内周側に押圧してシートを固定する。
【０００４】
また、ビニールハウス内で植物の育成を行う場合、ビニールハウス内の温度、湿度を植物にとって適切なものとする必要があるため、ビニールハウスの側面又は屋根面に換気装置を設けるようにしている。
【０００５】
ビニールハウスの側面における一般的な換気装置としては、例えば、ビニールハウスの屋根側または肩部から垂設したシートの下端を回転軸に巻きつけ、地上近辺から上方に向けてシートを巻き上げることにより、ビニールハウスの側面下方に開口部を形成する巻き取り式の換気装置がある（例えば、特許文献１参照）。
【特許文献１】特開２００1−１０３８５０号公報（図１４）
【発明の開示】
【発明が解決しようとする課題】
【０００６】
このような換気装置を備えたビニールハウスでは、ハウス内の温度を調整するため、シートの巻き上げと巻き下げを行うことになるが、換気装置の回転軸をビニールハウスの側面に沿って回転しながら上下移動させる必要があるので、上記回転軸はビニールハウスの側面に当接させるようにしてある。
【０００７】
すると、上記回転軸は、上下移動する際には、ビニールハウスの側面に展帳してあるシートを擦るようにして移動し、また、上下移動せずとも、風等によって煽られるとシートに衝突することになり、いずれにしてもビニールハウスのシートを傷めてしまう恐れがある。
【０００８】
また、これとは別に、ビニールハウスには、出入口に設けられるドアや屋根面や妻面等に設けられる窓等の雨水が浸入しやすい部位があるがこのような部位をシールすることが可能な手段が皆無であった。
【０００９】
さらには、ビニールハウスのドアや窓は、クッションを設けるような構造となっておらず、閉時の衝撃を和らげるような手段が皆無であった。
【００１０】
そこで、本発明の目的は、ビニールハウスのシートを保護する用途に使用することができるとともにビニールハウスのシール用途、クッション用途にも使用することができる多目的なクッション装置を提供することである。
【課題を解決するための手段】
【００１１】
本発明におけるクッション装置は、弾性部材と、弾性部材内を通る線条と、線条の両端に設けられ開口部巾狭の蟻溝フレームに固定される固定部材とを備えてなる。
【発明の効果】
【００１２】
各請求項の発明のクッション装置によれば、ビニールハウスの蟻溝フレームが取付けられている様々な部位に取付けることができ、クッション機能やシール機能を果たすのは線条が挿入される弾性部材であるのでクッション装置を適用する部位に併せて適宜撓ませたり折り曲げたりして変形させることができるので汎用性に富み、ビニールハウスのシートの保護、ドアや換気窓のクッション、シール等の多目的に使用可能である。
【発明を実施するための最良の形態】
【００１３】
以下、本発明の実施の形態を、図１から図８に基づいて説明する。図１は、一実施の形態におけるクッション装置の斜視図である。図２は、一実施の形態におけるクッション装置を蟻溝フレームに取付けた状態を示す図である。図３は、蟻溝フレームに取付けた一実施の形態におけるクッション装置の断面図である。図４は、ビニールハウスの側面に取付けられた蟻溝フレームに一実施の形態におけるクッション装置を取付けた状態を示す図である。図５は、ビニールハウスの換気窓の窓枠に一実施の形態におけるクッション装置を取付けた状態を示す図である。図６は、防虫網を取付けたの換気窓の窓枠に一実施の形態におけるクッション装置を取付けた状態を示す図である。図７は、ビニールハウスのドアに一実施の形態におけるクッション装置を取付けた一例を示す図である。図８は、ビニールハウスのドアに一実施の形態におけるクッション装置を取付けた他の例を示す図である。
【００１４】
一実施の形態におけるクッション装置１は、図１に示すように、弾性部材２と、弾性部材２内を通り弾性部材２の両端から突出する線条３と、線条３の両端に設けられる固定部材４とを備えて構成されている。
【００１５】
以下、各部について詳細に説明すると、弾性部材２は、合成樹脂からなる筒体として形成されている。そして、図２および図３に示すように、弾性部材２は、蟻溝フレーム１０内に挿入すると、蟻溝フレーム１０の開口部１４を閉塞するとともに、図３中上端部が蟻溝フレーム１０の開口部から突出するようになっている。
【００１６】
そして、線条３は、弾性部材２と同じ長さとされて弾性部材２内に挿入されるとともに、その両端には固定部材４が連なっている。
【００１７】
また、固定部材４は、蟻溝フレーム１０に固定されることが可能であればよく、この実施の形態の場合、線条３の端部に連なる波型のバネ部材とされ、線条３の両端にそれぞれ設けられている。この固定部材４をバネ部材とする場合、固定部材４と線条３とを一本の線材から形成することができ、具体的には、上記線材を弾性部材２内に挿入し、線材の弾性部材２の両端から突出する部位を折り曲げ成型等によってバネ部材を形成することで、上記一本の線材から線条３と固定部材４とを製造することが可能である。
【００１８】
なお、固定部材４が波型のバネ部材とされ、このバネ部材の幅が弾性部材２の外径より大きくなっていることで、弾性部材２が線条３から脱落しないようになっているとともに、また、線条３の長さが弾性部材２と同じ長さに設定されることと相俟って、弾性部材２が線条３に位置決められる様になっているので、別途、弾性部材２を位置決めする部材を設ける必要がなく有利であり、弾性部材２の内径が線条３の外径に比較して大きい場合に合っても位置決めが確実に行われる点で有利となる。
【００１９】
また、弾性部材２の内径が線条３の外径より比較的大きく設定される場合には、上述のように、線条３を挿入するという方法によって、線条３を弾性部材２内に通すようにするとすればよいが、線条３を弾性部材２内に通すことには、線条３の外周に合成樹脂等の弾性を備えた材料を溶着することや、弾性部材２を成型する型内に予め線条３を通しておいて弾性部材２の材料を型内に充填すると言った方法を採用することによって線条３を弾性部材２内に通すことも含まれることは当然である。また、弾性部材２を断面Ｃ型に成形するか、筒状に成形後に軸線に沿って切れ込みをいれて断面をＣ型とし、弾性部材２を線条３に側方から嵌め込むことによって弾性部材２内に線条３を通すようにしてもよい。
【００２０】
なお、弾性部材２は、弾性を備えていればよいので、具体的には、たとえば、その材料を合成樹脂等とするとよい。
【００２１】
他方、蟻溝フレーム１０は、図２および図３に示すように、底部１１と、底部１１の両端から延設される一対の側壁１２，１３とで構成され、側壁１２，１３の上端は、蟻溝フレーム１０内に定着されるシートＳを傷つけることが無いように、丸みを帯びさせてあり、さらに、上記側壁１２，１３は開口部１４が底部１１より幅が狭くなるように蟻溝フレーム１０の内方に向けて傾斜させてある。
【００２２】
したがって、蟻溝フレーム１０は断面略蟻溝状のフレームとして形成されており、この蟻溝フレーム１０内にシートＳを定着するには、図２、図３に示すように、まず、蟻溝フレーム１０内にシートＳを挿入し、つづいて、蟻溝フレーム１０内全体に渡りシートＳの上から波形のバネ部材１５とその弾性に抗して強制的に変形せしめて嵌合させる。このとき、上記側壁１２，１３はそれぞれ、蟻溝フレーム１０の内方に向けて傾斜させてあるので、バネ部材１５は、蟻溝フレーム１０内から脱落することが防止され、シートＳを強固に蟻溝フレーム１０に固定することができるようになっている。
【００２３】
このように構成される蟻溝フレーム１０内に上記クッション装置１を取付ける方法について説明する。なお、本実施の形態において、クッション装置１が使用される態様としては、蟻溝フレーム１０内に予めシートＳがバネ部材１５で固定されていることを前提としているので、その状態の蟻溝フレーム１０内にクッション装置１を取付けるようになっているが、シートＳが装着されていない蟻溝フレーム１０にクッション装置１を取付けることはもちろん可能である。
【００２４】
まず、クッション装置１を設けたい蟻溝フレーム１０内に弾性部材２を挿入し、その後、両端側の固定部材４である波形のバネ部材を自身の弾性に抗して強制的に変形せしめて嵌合させる。そうすると、固定部材４は、蟻溝フレーム１０の側壁１２，１３間に挟まれ変形された状態に維持されて嵌合されることになり、上記側壁１２，１３に付勢力を作用し続け、蟻溝フレーム１０内に強固に固定される。
【００２５】
固定部材４であるバネ部材が強固に蟻溝フレーム１０内に固定されることから、弾性部材２も固定部材４に連なる線条３によって脱落が防止され、弾性部材２は固定部材４によって蟻溝フレーム１０に強固に固定されることになる。
【００２６】
そして、たとえば、上記蟻溝フレーム１０は、図４に示すように、ビニールハウスＢの骨組みである複数のアーチ状のパイプＰに取付けられており、この蟻溝フレーム１０を利用して上記複数のパイプＰにシートＳを展帳することが可能なようになっている。
【００２７】
また、ビニールシートＢの側面には、巻き取り式の換気装置Ｋが設けられており、この換気装置Ｋは、ビニールハウスＢの屋根側から垂設したシート２０と、このシート２０を巻き取る回転軸２１とを備えて構成され、回転軸２１の端部には、回転軸２１を回転させる作業を容易とするためにハンドル２２が設けられている。
【００２８】
この実施の形態の場合、クッション装置１は、換気装置Ｋの回転軸２１とシートＳの干渉を防止するべく、弾性部材２の長さは回転軸２１の上下移動範囲以上となるように設定されて、ビニールハウスＢの側面に設けられる蟻溝フレーム１０，１０に取付けられている。
【００２９】
上記換気装置Ｋのように巻き上げられるシート２０が屋根面から垂設されるような場合にあっては、回転軸２１は、ビニールハウスＢの屋根から側面の下方まで上下移動することになり、ビニールハウスＢは屋根から側面にかけて湾曲していることから、当然、蟻溝フレーム１０も屋根面から側面にかけて湾曲されてパイプＰに取付けられることになるが、弾性部材２および線条３は、弾性を備えており、固定手段４たるバネ部材で強固に蟻溝フレーム１０に取付けられるので、弾性部材２および線条３を湾曲された蟻溝フレーム１０に無理なく沿わせることができる。
【００３０】
そして、上記したように、弾性部材２は、蟻溝フレーム１０の開口部１４から外方に突出する部位を備えていることから、換気装置Ｋの回転軸２１は、蟻溝フレーム１０に固定されたシートＳには当接せずに、クッション装置１の弾性部材２に当接することになり、シートＳに直接干渉することがなくなるのである。
【００３１】
したがって、このクッション装置１によれば、クッション装置１を湾曲された蟻溝フレーム１０に沿わせて取付けることが可能であるとともに、弾性部材２は、少なくとも一部が蟻溝フレーム１０の開口部１４から外方に突出するので、換気装置Ｋの回転軸２１の上下移動範囲内に無理なくクッション装置１を配置させることができ、上記回転軸２１は、上下移動する際に、ビニールハウスＢの側面に展帳してあるシートＳを擦ることもなく、また、風等によって煽られてもシートＳに衝突することがなくなり、ビニールハウスＢのシートＳを傷めてしまうことが防止されるのである。
【００３２】
なお、本実施の形態のクッション装置１にあっては、弾性部材２が蟻溝フレーム１０の開口部１４を閉塞するようになっている。したがって、このクッション装置１を、たとえば、図５に示すように、ビニールハウスＢの屋根面や妻面等に設けられる窓枠３０と、窓枠３０の上端にヒンジ結合され該窓枠３０を閉塞する蓋体３１とで構成される換気窓Ｗに適用すると、クッション効果と同時にシール効果を得ることが可能である。
【００３３】
この矩形の窓枠３０は、具体的には、その四辺に蟻溝フレーム１０を用いて構成されており、また、蓋体３１は、窓枠３０の上辺にヒンジ結合され窓枠３０に対し回動自在とされるとともに、蓋体３１は、窓枠３０の下部にラップするような鍔３１ａを備えている。
【００３４】
そして、窓枠３０の四辺を構成する蟻溝フレーム１０には、当然にシートＳが固定され、また、蓋体３１にもシートＳが展帳されている。
【００３５】
このような、窓枠３０の下辺の蟻溝フレーム１０にクッション装置１を取付ける。この場合、クッション装置１の両端の固定部材４をそれぞれ窓枠３０の左右辺に取付けて、窓枠３０の下辺の蟻溝フレーム１０の略全部に渡って弾性部材２を挿入可能なように、固定部材４たるバネ部材は、線条３に対し略直角をなす角度で折り曲げてある。
【００３６】
窓枠３０の下辺の蟻溝フレーム１０に上述のようなクッション装置１を取付けると、クッション装置１の弾性部材２は、蓋体３１が窓枠３０を閉塞して換気窓Ｗが閉じた状態では、蓋体３１の鍔３１ａに当接して蓋体３１の鍔３１ａが窓枠３０に固定したシートＳを傷つけてしまうことを防止できるとともに、鍔３１ａと弾性部材２の当接によって、蓋体３１と窓枠３０との間をシールして雨水等のビニールハウスＢ内への侵入を防止することが可能である。
【００３７】
なお、クッション効果とシール効果のみを満足させる場合には、弾性部材２で蟻溝フレーム１０の開口部１４を完全に閉塞しなくともよいが、本実施の形態の場合、弾性部材２は、蟻溝フレーム１０の開口部を閉塞するようになっているので、蟻溝フレーム１０内に雨水が溜まってしまい、やがて、溜まった雨水が蟻溝フレーム１０から溢れてビニールハウスＢの内部へ落下してしまうような事態も回避されるという利点がある。
【００３８】
また、上述したように、線条３を適宜折り曲げるなどしてコーナー部分にも無理なく、クッション装置１を取付けることができるのである。
【００３９】
さらに、図６に示すように、防虫網Ｎを蓋体３１の左右辺と下辺の蟻溝フレーム１０に取付けて鍔３１ａを覆うようにするとともに、窓枠３０の左右辺および下辺の蟻溝フレーム１０に固定されるようにして換気窓Ｗの窓枠３０と蓋体３１との間を防虫網Ｎで覆う場合にあっても、換気窓Ｗが閉じた状態では、防虫網Ｎは、鍔３１ａとクッション装置１の弾性部材２との間に挟みこまれることから、雨水が防虫網Ｎを伝ってビニールハウスＢ内に侵入してしまうことも防止され、窓枠３０と蓋体３１との間を確実にシールすることが可能である。
【００４０】
なお、図６に図示したところでは、弾性部材２が鍔３１ａと当接した状態において、蟻溝フレーム１０の開口部１４を閉塞しないようになっているが、このようにしても、弾性部材２で鍔３１ａと蟻溝フレーム１０との間をしっかりシールすることができる。また、上記したように、鍔３１ａと当接した状態においても弾性部材２で蟻溝フレーム１０の開口部１４を閉塞する場合には、蟻溝フレーム１０内に雨水が溜まってしまう弊害を防止することが可能となる。
【００４１】
つづいて、このクッション装置１をビニールハウスＢのドアＤに適用する場合について説明する。図７に示すように、ドアＤは、たとえば、左扉４１と右扉４２を互いに離れる方向にスライドすることによって開くことが可能な両開きのドアとして構成されており、これら左右の扉４１，４２のフレームは、やはり蟻溝フレーム１０とされており、これら左右の扉４１，４２には、それぞれシートＳが展帳されている。
【００４２】
そして、左右のいずれか一方の扉、図示するところでは、左扉４１の右辺の蟻溝フレーム１０には、上下に渡って鍔４１ａが設けられ、ドアＤを閉じた場合、上記鍔４１ａが右扉４２の左辺の蟻溝フレーム１０を覆うことが可能となっている。
【００４３】
このような右扉４２の左辺の蟻溝フレーム１０にクッション装置１を取付ける。この場合、クッション装置１の両端の固定部材４をそれぞれ右扉４２の上下辺に取付けて、右扉４２の左辺の蟻溝フレーム１０の略全部に渡って弾性部材２を挿入可能なように、固定部材４たるバネ部材は、線条３に対し略直角をなす角度で折り曲げてある。
【００４４】
右扉４２の左辺の蟻溝フレーム１０に上述のようなクッション装置１を取付けると、左扉４１と右扉４２とを衝き合わせてドアＤを閉じた状態では、クッション装置１の弾性部材２が左扉４１の鍔４１ａに当接して、左扉４１の鍔４１ａが右扉４２に固定したシートＳを傷つけてしまうことを防止できるとともに、鍔４１ａと弾性部材２の当接によって、左扉４１と右扉４２との間をシールして雨水等のビニールハウスＢ内への侵入を防止することが可能である。
【００４５】
また、左扉４１の左辺の蟻溝フレーム１０と右扉４２の右辺の蟻溝フレーム１０のそれぞれにクッション装置１を取付ける場合には、左右の扉４１，４２とビニールハウスＢの柱Ｔ１，Ｔ２との間をクッション装置１でシールすることが可能となる。
【００４６】
なお、上記したところでは、左右の扉４１，４２の左右辺の蟻溝フレーム１０の全長に渡りクッション装置１の弾性部材２を配置させるため、固定部材４に連なる線条３の端部を固定部材４に対して直角を成す角度に折り曲げているが、蟻溝フレーム１０の中間部のみに弾性部材２を配置することで足りる場合には、上記のような折り曲げをせずに、直線状のクッション装置１をそのまま蟻溝フレーム１０に取付けるようにしてもよいことは当然である。
【００４７】
さらに、図８に示すように、左右の扉のうち一方の扉、たとえば、右扉４２の左辺の蟻溝フレーム１０内に弾性部材２を挿入するのではなく、ドアＤが閉じられるときに、右扉４２の左辺の蟻溝フレーム１０における左扉４１の右辺の蟻溝フレーム１０と衝突する部位である側部に沿わせるようにして、弾性部材２を配置することも可能である。
【００４８】
すなわち、この場合には、固定部材４であるバネ部材を線条３に対して直角を成す角度に折り曲げて右扉４２の上下辺の蟻溝フレーム１０に固定し、弾性部材２を左辺の蟻溝フレーム１０の外方側部に沿わせるように配置するか、または、図示するように、線条３の端部をＵ字状に折り曲げて固定部材４であるバネ部材と線条３とを平行となるようにし、両端の固定部材４を右扉４２の左辺の蟻溝フレーム１０の上下にそれぞれ固定し、弾性部材２を左辺の蟻溝フレーム１０の外方側部に沿わせるように配置するようにすればよい。
【００４９】
このように、クッション装置１をドアＤに取付ける場合には、クッション装置１は、ドアＤの閉時における左右の扉４１，４２の衝突による衝撃をクッション装置１の弾性部材２で緩和することができるクッションとして機能するとともに、左右の扉４１，４２の間の隙間を弾性部材２で塞ぐことが可能であるので左右の扉４１，４２間のシールとしても機能することになる。
【００５０】
なお、ドアＤの形式は、上記したようなスライド式のドア以外にも上記した換気窓Ｗのように扉の一端がヒンジ結合されるドアの場合には、クッション装置１をドア枠側に取付ければ、クッションとしてもシールとしても機能を発揮することができるのは当然である。
【００５１】
したがって、上記したところから明らかなように、本発明のクッション装置１は、ビニールハウスＢの蟻溝フレーム１０が取付けられている様々な部位に取付けることができ、クッション機能やシール機能を果たすのは線条３が挿入される弾性部材２であるのでクッション装置１を適用する部位に併せて適宜撓ませたり折り曲げたりして変形させることができるので汎用性に富み、ビニールハウスＢのシートＳの保護、ドアや換気窓のクッション、シール等の多目的に使用可能である。
【００５２】
なお、弾性部材２の断面形状は、上述したところでは、円環形状とされているが、これに限定されるものではなく、上記した多用途の使用に耐えうる限りにおいてどのような形状とされてもよい。
【００５３】
以上で、本発明の実施の形態についての説明を終えるが、本発明の範囲は図示されまたは説明された詳細そのものには限定されないことは勿論である。
【図面の簡単な説明】
【００５４】
【図１】一実施の形態におけるクッション装置の斜視図である。
【図２】一実施の形態におけるクッション装置を蟻溝フレームに取付けた状態を示す図である。
【図３】蟻溝フレームに取付けた一実施の形態におけるクッション装置の断面図である。
【図４】ビニールハウスの側面に取付けられた蟻溝フレームに一実施の形態におけるクッション装置を取付けた状態を示す図である。
【図５】ビニールハウスの換気窓の窓枠に一実施の形態におけるクッション装置を取付けた状態を示す図である。
【図６】防虫網を取付けたの換気窓の窓枠に一実施の形態におけるクッション装置を取付けた状態を示す図である。
【図７】ビニールハウスのドアに一実施の形態におけるクッション装置を取付けた一例を示す図である。
【図８】ビニールハウスのドアに一実施の形態におけるクッション装置を取付けた他の例を示す図である。
【符号の説明】
【００５５】
１  クッション装置
２  弾性部材
３  線条
４  固定部材
１０  蟻溝フレーム
１１  底部
１２，１３  側部
１４  開口部
１５  バネ部材
２１  回転軸
２２  ハンドル
３０  窓枠
３１  蓋体
３１ａ，４１ａ  鍔
４１  左扉
４２  右扉
Ｄ  ドア
Ｂ  ビニールハウス
Ｋ  換気装置
Ｎ  防虫網
Ｐ  パイプ
Ｓ，２０  シート
Ｔ１，Ｔ２  柱
Ｗ  換気窓
【図１】
2007222093.tif 000003
【図２】
2007222093.tif 000004
【図３】
2007222093.tif 000005
【図４】
2007222093.tif 000006
【図５】
2007222093.tif 000007
【図６】
2007222093.tif 000008
【図７】
2007222093.tif 000009
【図８】
2007222093.tif 000010